【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
トナー像をそれぞれ担持する複数の像担持体と、
移動体と、
前記各像担持体上のトナー像を前記移動体又は前記移動体に担持された転写材に静電的に転写する複数の転写手段と、
前記各像担持体上のトナーをそれぞれ回収する複数の回収手段と、を有する画像形成装置において、
前記複数の像担持体の中から前記移動体上のトナーを転写すべき像担持体を選択する選択手段を有し、
前記選択手段により選択された像担持体に、前記移動体上のトナーが転写される、
ことを特徴とする画像形成装置。
【請求項２】
前記画像形成装置は、前記選択手段により選択された像担持体に前記移動体上のトナーを転写する場合、前記各転写手段の各転写位置において形成される電界の強さを制御する制御手段を有する、
ことを特徴とする請求項１に記載の画像形成装置。
【請求項３】
前記制御手段は、前記選択手段により選択された像担持体に前記移動体上のトナーを転写するために、前記各転写手段に印加する電圧を制御する、
ことを特徴とする請求項２に記載の画像形成装置。
【請求項４】
前記制御手段は、前記選択手段により選択された像担持体に前記移動体上のトナーを転写するために、前記各像担持体表面の電位を制御する、
ことを特徴とする請求項２に記載の画像形成装置。
【請求項５】
前記画像形成装置は、前記各像担持体表面を帯電する複数の帯電手段を有し、前記制御手段は、前記各帯電手段に印加する電圧を制御する、
ことを特徴とする請求項４に記載の画像形成装置。
【請求項６】
前記画像形成装置は、帯電された前記各像担持体表面を露光する複数の露光手段を有し、前記制御手段は、前記各露光手段による露光作動を制御する、
ことを特徴とする請求項４に記載の画像形成装置。
【請求項７】
前記制御手段は、前記選択手段により選択された像担持体に前記移動体上のトナーを転写するために、前記各像担持体表面の電位を制御する、
ことを特徴とする請求項３に記載の画像形成装置。
【請求項８】
前記画像形成装置は、前記各像担持体表面を帯電する複数の帯電手段を有し、前記制御手段は、前記各帯電手段に印加する電圧を制御する、
ことを特徴とする請求項７に記載の画像形成装置。
【請求項９】
前記画像形成装置は、帯電された前記各像担持体表面を露光する複数の露光手段を有し、前記制御手段は、前記各露光手段による露光作動を制御する、
ことを特徴とする請求項７に記載の画像形成装置。
【請求項１０】
前記画像形成装置は、前記各回収手段に回収されたトナーの量を検知する検知手段を有し、前記選択手段は、前記検知手段による検知結果に基づいて前記複数の像担持体の中から前記移動体上のトナーを転写すべき像担持体を選択する、
ことを特徴とする請求項１に記載の画像形成装置。
【請求項１１】
前記画像形成装置は、前記各像担持体上の潜像をトナーで現像する複数の現像手段と、前記各現像手段内の未使用トナーの量を検知する検知手段と、を有し、前記選択手段は、前記検知手段による検知結果に基づいて前記複数の像担持体の中から前記移動体上のトナーを転写すべき像担持体を選択する、
ことを特徴とする請求項１に記載の画像形成装置。
【請求項１２】
前記画像形成装置は、トナー像が形成された転写材の数を検知する検知手段を有し、前記選択手段は、前記検知手段による検知結果に基づいて前記複数の像担持体の中から前記移動体上のトナーを転写すべき像担持体を選択する、
ことを特徴とする請求項１に記載の画像形成装置。
【請求項１３】
前記選択手段は、原稿情報に対応する画像情報に基づいて前記複数の像担持体の中から前記移動体上のトナーを転写すべき像担持体を選択する、
ことを特徴とする請求項１に記載の画像形成装置。
【請求項１４】
前記各回収手段は、前記移動体から前記像担持体に転写されたトナーを収納する容器を備える、
ことを特徴とする請求項１に記載の画像形成装置。
【請求項１５】
前記画像形成装置は、少なくとも前記像担持体と前記回収手段とを備え前記装置本体に対して着脱可能な複数のプロセスカートリッジを有する、
ことを特徴とする請求項１〜１４のうちのいずれかに記載の画像形成装置。
【請求項１６】
前記各プロセスカートリッジは、前記像担持体上の潜像をトナーで現像する現像手段を備える、
ことを特徴とする請求項１５に記載の画像形成装置。
【請求項１７】
前記現像手段内には未使用トナーが収容されている、
ことを特徴とする請求項１６に記載の画像形成装置。
【請求項１８】
前記画像形成装置は、前記移動体上のトナーを所定の極性に帯電するトナー帯電手段を有し、前記トナー帯電手段により帯電された前記移動体上のトナーは、前記選択手段により選択された像担持体に転写される、
ことを特徴とする請求項１に記載の画像形成装置。
【請求項１９】
前記トナー帯電手段は、前記移動体上のトナーをトナーの正規の帯電極性とは逆極性に帯電する、
ことを特徴とする請求項１８に記載の画像形成装置。
【請求項２０】
前記トナー帯電手段により帯電された前記移動体上のトナーを前記選択手段により選択された像担持体に転写するための前記転写手段には、トナーの正規の帯電極性とは逆極性の電圧が印加される、
ことを特徴とする請求項１９に記載の画像形成装置。
【請求項２１】
前記像担持体から前記移動体に転写されたトナー像は転写材に静電的に転写される、
ことを特徴とする請求項１に記載の画像形成装置。
【請求項２２】
前記画像形成装置は、前記像担持体から前記移動体に転写された検知用のトナー像の濃度を検知する検知手段を有し、前記検知手段により検知用のトナー像の濃度を検知した後、前記検知用のトナー像は前記選択手段により選択された像担持体に転写される、
ことを特徴とする請求項１に記載の画像形成装置。
【請求項２３】
前記検知手段による検知結果に基づいて、前記像担持体上に形成するトナー像の濃度を制御する、
ことを特徴とする請求項２２に記載の画像形成装置。
【請求項２４】
前記画像形成装置は、前記像担持体から前記移動体に転写された検知用のトナー像の位置を検知する検知手段を有し、前記検知手段により前記検知用のトナー像の位置を検知した後、前記検知用のトナー像は、前記選択手段により選択された像担持体に転写される、
ことを特徴とする請求項１に記載の画像形成装置。
【請求項２５】
前記検知手段による検知結果に基づいて、前記各像担持体にトナー像を形成するタイミングを制御する、
ことを特徴とする請求項２４に記載の画像形成装置。
【請求項２６】
前記移動体又は前記移動体に担持された転写材にフルカラー画像が形成される、
ことを特徴とする請求項１に記載の画像形成装置。
【請求項２７】
トナー像を担持する第１の像担持体と、
前記第１の像担持体上のトナーを回収する第１の回収手段と、
トナー像を担持する第２の像担持体と、
前記第２の像担持体上のトナーを回収する第２の回収手段と、
移動体と、
前記第１の像担持体上のトナー像を第１の転写位置で前記移動体又は前記移動体に担持された転写材に静電的に転写する第１の転写手段と、
前記第２の像担持体上のトナー像を第２の転写位置で前記移動体又は前記移動体に担持された転写材に静電的に転写する第２転写手段と、を有し、
前記移動体上のトナーを前記第１の像担持体に転写するために前記第１の転写位置において形成される電界の方向は、前記移動体上のトナーを前記第２の像担持体に転写するために前記第２の転写位置において形成される電界の方向とは逆方向である、
ことを特徴とする画像形成装置。
【請求項２８】
前記画像形成装置は、前記移動体上のトナーを前記第１の像担持体に転写するために前記第１の転写位置において形成される電界の方向と、前記移動体上のトナーを前記第２の像担持体に転写するために前記第２の転写位置において形成される電界の方向を制御する制御手段を有する、
ことを特徴とする請求項２７に記載の画像形成装置。
【請求項２９】
前記制御手段は、前記第１の転写手段及び前記第２の転写手段に印加する電圧を制御する、
ことを特徴とする請求項２８に記載の画像形成装置。
【請求項３０】
前記制御手段は、前記第１の像担持体及び前記第２の像担持体の表面の電位を制御する、
ことを特徴とする請求項２８に記載の画像形成装置。
【請求項３１】
前記画像形成装置は、前記第１の像担持体及び前記第２の像担持体の表面をそれぞれ帯電する第１の帯電手段及び第２の帯電手段を有し、前記制御手段は、前記第１の帯電手段及び前記第２の帯電手段に印加する電圧を制御する、
ことを特徴とする請求項３０に記載の画像形成装置。
【請求項３２】
前記画像形成装置は、前記第１の像担持体及び前記第２の像担持体の表面をそれぞれ露光する第１の露光手段及び第２の露光手段を有し、前記制御手段は、前記第１の露光手段及び前記第２の露光手段による露光作動を制御する、
ことを特徴とする請求項３０に記載の画像形成装置。
【請求項３３】
前記制御手段は、前記第１の像担持体及び前記第２の像担持体の表面の電位を制御する、
ことを特徴とする請求項２９に記載の画像形成装置。
【請求項３４】
前記画像形成装置は、前記第１の像担持体及び前記第２の像担持体の表面をそれぞれ帯電する第１の帯電手段及び第２の帯電手段を有し、前記制御手段は、前記第１の帯電手段及び前記第２の帯電手段に印加する電圧を制御する、
ことを特徴とする請求項３３に記載の画像形成装置。
【請求項３５】
前記画像形成装置は、前記第１の像担持体及び第２の像担持体の表面をそれぞれ露光する第１の露光手段及び第２の露光手段を有し、前記制御手段は、前記第１の露光手段及び前記第２の露光手段による露光作動を制御する、
ことを特徴とする請求項３３に記載の画像形成装置。
【請求項３６】
前記制御手段は、前記移動体上のトナーを前記第１の像担持体に転写するために前記第１の転写位置において形成される電界の強さと、前記移動体上のトナーを前記第２の像担持体に転写するために前記第２の転写位置において形成される電界の強さを制御する、
ことを特徴とする請求項２７又は２８に記載の画像形成装置。
【請求項３７】
前記制御手段は、前記第１の転写手段及び前記第２の転写手段に印加する電圧を制御する、
ことを特徴とする請求項３６に記載の画像形成装置。
【請求項３８】
前記制御手段は、前記第１の像担持体及び前記第２の像担持体の表面の電位を制御する、
ことを特徴とする請求項３６に記載の画像形成装置。
【請求項３９】
前記画像形成装置は、前記第１の像担持体及び前記第２の像担持体の表面をそれぞれ帯電する第１の帯電手段及び第２の帯電手段を有し、前記制御手段は、前記第１の帯電手段及び前記第２の帯電手段に印加する電圧を制御する、
ことを特徴とする請求項３８に記載の画像形成装置。
【請求項４０】
前記画像形成装置は、前記第１の像担持体及び前記第２の像担持体の表面をそれぞれ露光する第１の露光手段及び第２の露光手段を有し、前記制御手段は、前記第１の露光手段及び前記第２の露光手段による露光作動を制御する、
ことを特徴とする請求項３８に記載の画像形成装置。
【請求項４１】
前記制御手段は、前記第１の像担持体及び前記第２の像担持体の表面の電位を制御する、
ことを特徴とする請求項３７に記載の画像形成装置。
【請求項４２】
前記画像形成装置は、前記第１の像担持体及び前記第２の像担持体の表面をそれぞれ帯電する第１の帯電手段及び第２の帯電手段を有し、前記制御手段は、前記第１の帯電手段及び前記第２の帯電手段に印加する電圧を制御する、
ことを特徴とする請求項４１に記載の画像形成装置。
【請求項４３】
前記画像形成装置は、前記第１の像担持体及び前記第２の像担持体の表面をそれぞれ露光する第１の露光手段及び第２の露光手段を有し、前記制御手段は、前記第１の露光手段及び前記第２の露光手段による露光作動を制御する、
ことを特徴とする請求項４１に記載の画像形成装置。
【請求項４４】
前記画像形成装置は、トナー像を担持する第３の像担持体と、前記第３の像担持体上のトナーを回収する第３の回収手段と、前記第３の像担持体上のトナー像を前記移動体又は前記移動体に担持された転写材に静電的に転写する第３の転写手段と、を有する、
ことを特徴とする請求項２７に記載の画像形成装置。
【請求項４５】
前記第１の像担持体、前記第２の像担持体、前記第３の像担持体から前記移動体又は前記移動体に担持された転写材に順次トナー像が転写される、
ことを特徴とする請求項４４に記載の画像形成装置。
【請求項４６】
前記画像形成装置は、前記複数の像担持体の中から前記移動体上のトナーを転写すべき少なくとも２つの像担持体を選択する選択手段を有する、
ことを特徴とする請求項４４に記載の画像形成装置。
【請求項４７】
前記画像形成装置は、前記各回収手段に回収されたトナーの量を検知する検知手段と、前記検知手段による検知結果に基づいて前記複数の像担持体の中から前記移動体上のトナーを転写すべき少なくとも２つの像担持体を選択する選択手段を有する、
ことを特徴とする請求項４４に記載の画像形成装置。
【請求項４８】
前記画像形成装置は、前記各像担持体上の潜像をトナーで現像する複数の現像手段と、前記各現像手段内の未使用トナーの量を検知する検知手段と、前記検知手段による検知結果に基づいて前記複数の像担持体の中から前記移動体上のトナーを転写すべき少なくとも２つの像担持体を選択する選択手段と、を有する、
ことを特徴とする請求項４４に記載の画像形成装置。
【請求項４９】
前記画像形成装置は、トナー像が形成された転写材の数を検知する検知手段と、前記検知手段による検知結果に基づいて前記複数の像担持体の中から前記移動体上のトナーを転写すべき少なくとも２つの像担持体を選択する選択手段と、を有する、
ことを特徴とする請求項４４に記載の画像形成装置。
【請求項５０】
前記画像形成装置は、原稿情報に対応する画像情報に基づいて前記複数の像担持体の中から前記移動体上のトナーを転写すべき少なくとも２つの像担持体を選択する選択手段を有する、
ことを特徴とする請求項４４に記載の画像形成装置。
【請求項５１】
前記各回収手段は、前記移動体から前記像担持体に転写されたトナーを収容する容器を備える、
ことを特徴とする請求項２７に記載の画像形成装置。
【請求項５２】
前記画像形成装置は、少なくとも前記像担持体と前記回収手段とを備え、前記装置本体に対して着脱可能な複数のプロセスカートリッジを有する、
ことを特徴とする請求項２７〜５１のうちのいずれかに記載の画像形成装置。
【請求項５３】
前記各プロセスカートリッジは、前記像担持体上の潜像をトナーで現像する現像手段を備える、
ことを特徴とする請求項５２に記載の画像形成装置。
【請求項５４】
前記現像手段内には、未使用トナーが収容されている、
ことを特徴とする請求項５３に記載の画像形成装置。
【請求項５５】
前記像担持体から前記移動体に転写されたトナー像は転写材に静電的に転写される、
ことを特徴とする請求項２７に記載の画像形成装置。
【請求項５６】
前記第１の像担持体上のトナー像を前記移動体又は前記移動体に担持された転写材に転写した後、前記第２の像担持体上のトナー像は、前記移動体又は前記移動体に担持された転写材にトナー像が転写される、
ことを特徴とする請求項２７に記載の画像形成装置。
【請求項５７】
前記第１の転写位置及び前記第２の転写位置において前記電界が所定時間形成された後、前記第１の転写手段及び前記第２の転写手段にはトナーの正規の帯電極性とは逆極性の電圧が所定時間印加される、
ことを特徴とする請求項２７に記載の画像形成装置。
【請求項５８】
前記移動体が少なくとも１周する間、前記第１の転写手段及び前記第２の転写手段には、トナーの正規の帯電極性とは逆極性の電圧が印加される、
ことを特徴とする請求項５７に記載の画像形成装置。
【請求項５９】
前記第１の転写位置及び前記第２の転写位置において、前記電界は前記移動体が少なくとも１周する間形成される、
ことを特徴とする請求項２７に記載の画像形成装置。
【請求項６０】
トナー像をそれぞれ担持する複数の像担持体と、
移動体と、
前記各像担持体上のトナーをそれぞれ回収する複数の回収手段と、を有し、
前記複数の像担持体上のトナー像を前記移動体又は前記移動体上に担持された転写材に転写した後に前記移動体上のトナーを前記像担持体に転写する画像形成装置において、
前記移動体上のトナーの転写先が前回の画像形成動作の時の像担持体とは異なる像担持体である、
ことを特徴とする画像形成装置。
【手続補正２】
【補正対象書類名】明細書
【補正対象項目名】００１１
【補正方法】変更
【補正の内容】
【００１１】
【課題を解決するための手段】
上述の目的を達成するための請求項１に係る本発明は、トナー像をそれぞれ担持する複数の像担持体と、移動体と、前記各像担持体上のトナー像を前記移動体又は前記移動体に担持された転写材に静電的に転写する複数の転写手段と、前記各像担持体上のトナーをそれぞれ回収する複数の回収手段と、を有する画像形成装置において、前記複数の像担持体の中から前記移動体上のトナーを転写すべき像担持体を選択する選択手段を有し、前記選択手段により選択された像担持体に、前記移動体上のトナーが転写される、ことを特徴とする。
【手続補正３】
【補正対象書類名】明細書
【補正対象項目名】００６９
【補正方法】変更
【補正の内容】
【００６９】
請求項５９に係る本発明は、請求項２７の画像形成装置において、前記第１の転写位置及び前記第２の転写位置において、前記電界は前記移動体が少なくとも１周する間形成される、ことを特徴とする。
請求項６０に係る本発明は、トナー像をそれぞれ担持する複数の像担持体と、移動体と、前記各像担持体上のトナーをそれぞれ回収する複数の回収手段と、を有し、前記複数の像担持体上のトナー像を前記移動体又は前記移動体上に担持された転写材に転写した後に前記移動体上のトナーを前記像担持体に転写する画像形成装置において、前記移動体上のトナーの転写先が前回の画像形成動作の時の像担持体とは異なる像担持体である、ことを特徴とする。